(57)【要約】【課題】電流容量の大きいプラグも使用可能で、汎用性の高い（従来の形状のブレードを有するプラグも利用可能）コンセントを提供しようとするものである。【解決手段】差し込んだブレード（５）を挟持するコンセント（１）において、差し込んだブレード（５）を挟持する部材が、通常ブレード挟持部材（２）と大容量ブレード挟持部材（３）とからなることを特徴とするコンセント。前記コンセント（１）に使用するプラグ（４）であって、差し込み長さ（ｄ）が２０ｍｍ〜６０ｍｍのブレード（５）を有することを特徴とするプラグ（４）。【選択図】図１
2009176505.tif 000002
【特許請求の範囲】
【請求項１】
差し込んだブレードを挟持するコンセントにおいて、差し込んだブレードを挟持する部材が、通常ブレード挟持部材と大容量ブレード挟持部材とからなることを特徴とするコンセント。
【請求項２】
差し込み長さが２０ｍｍ〜６０ｍｍのブレードを有するプラグを、差し込み可能としたことを特徴とするコンセント。
【請求項３】
１００Ｖ二極交流を通電することを特徴とする請求項１又は２に記載のコンセント。
【請求項４】
６Ｖ直流又は１２Ｖ直流又は２４Ｖ直流を通電することを特徴とする請求項１又は２に記載のコンセント。
【請求項５】
請求項１乃至４のいずれかに記載のコンセントに使用するプラグであって、差し込み長さが２０ｍｍ〜６０ｍｍのブレードを有することを特徴とするプラグ。
【発明の詳細な説明】
【技術分野】
【０００１】
この発明は、電源からの電気を接続する為に使用する、コンセントとプラグに関するものである。
【背景技術】
【０００２】
従来から、電気は、例えば一般家庭であると、プラグが有するブレードを１００Ｖ二極交流のコンセントに差し込むことによって接続され、使用されている。
このコンセントの、利便性・安全性を向上させる為に様々な発明がなされている。（例えば、特許文献１）
【０００３】
しかしながら、コンセントに挿入可能なブレードは、例えば一般家庭用のコンセントに対応するものの場合、（約１７ｍｍ×約６ｍｍ×約１．５ｍｍ：「通常ブレード」と記載する）であることから、この電極を接触挟持したとしても非常に小さな接触面積であり、発熱等の危険性から電流容量が制限されていた。
【０００４】
そして、このブレードの形状を変更し、これに対応する専用の形状の差込口のコンセントとすると、汎用性が低く、通常ブレードを有する従来の電気機器を使用することができないという問題があった。
【０００５】
また、バッテリー等に利用されている、６Ｖ、１２Ｖ、２４Ｖなど直流の電源であると、電圧が低い為、大量の電流を流す必要があるが、大容量の電流を流すことができるコンセントは独自規格の接続プラグがあるものの、汎用性の高いものではなかった。
【特許文献１】特開２００３−２３４１４１
【発明の開示】
【発明が解決しようとする課題】
【０００６】
そこでこの発明は、電流容量の大きいプラグも使用可能で、汎用性の高い（通常ブレードを有する従来プラグも利用可能な）コンセントを提供しようとするものである。
【課題を解決するための手段】
【０００７】
前記課題を解決するためこの発明では次のような技術的手段を講じている。
（請求項１記載の発明）
このコンセント（１）は、差し込んだブレード（５、７、８、９のいずれか）を挟持するコンセント（１）において、差し込んだブレード（５、７、８、９のいずれか）を挟持する部材が、通常ブレード挟持部材（２）と大容量ブレード挟持部材（３）とからなることを特徴とする。
一種目の挟持部材を通常ブレード用挟持部材（２）とし、それ以降の挟持部材を大容量ブレード用挟持部材（３）とすることによって、従来の通常ブレード（６）を有する電源プラグを使用可能であって、大容量ブレード（大容量の電流を流すことができるブレード：５、７、８、９のいずれか）も使用可能となる。前述の二種の挟持部材は、複数設けても良い。
【０００８】
（請求項２記載の発明）
このコンセント（１）は、差し込み長さ（ｄ）が２０ｍｍ〜６０ｍｍのブレード（５、７、８、９のいずれか）を有するプラグ（４）を、差し込み可能としたことを特徴とする。
挟持部材を２０ｍｍ〜６０ｍｍとし、一つの挟持部材で使用できるようにしても良い。すなわち、通常ブレード挟持部材と大容量ブレード挟持部材を一体化しても良い。
【０００９】
（請求項３記載の発明）
このコンセント（１）は、請求項１又は２記載のコンセント（１）に関し、１００Ｖ二極交流を通電することを特徴とする。
請求項１又は２記載のコンセント（１）であると、１５Ａ以上の電流を流すことが可能なものとなる為、１００Ｖの家庭用電源であっても、１５００ワット以上の電気機器を使用することができる。
【００１０】
（請求項４記載の発明）
このコンセントは（１）、請求項１又は２に記載のコンセント（１）に関し、６Ｖ直流又は１２Ｖ直流又は２４Ｖ直流を通電することを特徴とする。
電圧が低い自動車用のバッテリー（６Ｖ直流、１２Ｖ直流、２４Ｖ直流）を使用して、大きな電力を得る為には、大電流を流す必要がある。請求項１又は２記載のコンセント（１）は大電流を流すことのできるコンセント（１）であり、これらのコンセント（１）を利用すると、十分な電流容量を確保することができ、低電圧であっても、大きな電力を利用することができる。
【００１１】
（請求項５記載の発明）
このプラグ（２）は、請求項１乃至４のいずれかに記載のコンセント（１）に使用するプラグであって、差し込み長さ（ｄ）が２０ｍｍ〜６０ｍｍのブレード（５、７、８、９のいずれか）を有することを特徴とする。
ブレードの差し込み長さ（ｄ）が長い為、従来のコンセントよりも、大きい接触面積を得ることが出来、電流容量の大きいプラグとなる。
【発明の効果】
【００１２】
この発明は上述のような構成であり、次の効果を有する。
この発明は、従来のブレードを有するプラグが使用可能なコンセントであって、このコンセントは電流容量の大きいブレードを有するプラグも使用可能である。
そして、上述のコンセント・プラグを設けたポータブル電源や家庭用コンセントは、汎用性が高く、大電流をも流すことができる。
【発明を実施するための最良の形態】
【００１３】
以下に、これらの発明を実施するための最良の形態として実施例について詳しく説明する。
【実施例】
【００１４】
［実施例１］
図１は実施例１のコンセントとプラグの全体斜視図である。図２は実施例１のコンセントとプラグの断面図（図１のＡ断面）である。図２（ａ）は差し込み前であり、図２（ｂ）は差し込み後である。図３は実施例２のコンセントと一般のプラグの断面図である。図３（ａ）は差し込み前であり、図３（ｂ）は差し込み後である。
【００１５】
（１．コンセント・プラグの概要について）
コンセント１とプラグ４は、図１及び図２に示すように、ブレード５をコンセント１内に差し込むものである。差し込みの長さを図２（ａ）に示すようにｄとした。差し込み長さｄは２０ｍｍ〜６０ｍｍとするのが好ましい。
【００１６】
（２．コンセントについて）
コンセント１は、図１に示すように、ケース１０に差込口１１が設けられ、導電部材１２が接続されている。ケース１０には絶縁性を有する材料（例えば、ユリア樹脂）を使用することができる。差込口１１は、約７ｍｍ×約２ｍｍ（従来規格と同じもの）とすることができる
ケース１０内は、図２に示すように、通常ブレード挟持部材２と、大容量ブレード挟持部材３が設けられている。これら、挟持部材２、３は折り曲げられ、挟持可能な態様で弾性が付加されている。
【００１７】
挟持部材２、３は、図２に示すように、一枚のブレード５に対し複数個（例えば、２〜１００個の範囲内で）設けることができる。挟持部材２、３には、黄銅等（導電性を有し、折曲加工によって弾性を付加できる材料）を使用することができる。前記挟持部材は、ブレード５を差し込むと押し広げられて、挟持状態になる態様であれば、どのように設けてもよい。
また、挟持部材２、３を複数個設ける代わりに、２０ｍｍ〜６０ｍｍの差し込み長さｄを有する挟持部材としてもよい。
挟持部材２、３は、接続部２２、３２によって導電部材１２に接続され、電気供給がなされる。
【００１８】
（３．プラグについて）
プラグ４は、プラグケース４０にコード４１とブレード５が設けられており、ブレード５をから得た電気をコード４１に導電する。ブレード５には、止め穴５０が設けられている。
ブレード５の先端には、差し込みがスムーズに行えるように、面取部５１が設けられている。
【００１９】
（４．差込口へのブレードの差し込みについて）
コンセント１内にブレード５を差し込むと、図２（ａ）（ｂ）の態様で挟持部材２、３が両脇に押し広げられ、ブレード５を挟持する。そして、ブレード５の面に当接面２０、３０が接触し、通電可能な態様となると共に、当接面２０、３０に設けられた突起２１、３１が止め孔５０に入り、抜け止め状態となる。
【００２０】
（５．このコンセントは大容量電流を通電可能であることについて）
通常使用されている家庭用のコンセントは、「ブレードの差し込み長さｄ：約１７ｍｍ、ブレード幅：約６ｍｍ、ブレード厚さ：１．５ｍｍ」のブレードを有するプラグを差し込むものであり、当接面２０のみで通電しているものである。
このコンセント１は、ブレード差し込み長さｄを２０ｍｍ〜６０ｍｍとすることができ、当接面３０を追加することができる。
したがって、ブレード５の差し込み長さを大きくすることによって、大容量ブレード挟持部材３の当接面３０の分だけ、電流容量を増加させることができる。
【００２１】
（６．従来のプラグが使用できることについて）
このコンセント１は、図３に示すように、「ブレードの差し込み長さｄ：約１７ｍｍ、ブレード幅：約６ｍｍ、ブレード厚さ：１．５ｍｍ」の通常ブレード６を有する従来のプラグであったとしても、通常ブレード挟持部材２によって挟持されると共に、当接面２０によって通電がなされ、一般的に使用されている従来のプラグもすることができる。
通常ブレード６を差し込んだ場合、図３に示すように、通常ブレード挟持部材２によって通常ブレード６は挟持され、通電させることが可能である。ブレード５と同様に、通常ブレード６も、止め孔６０に突起２１が入り込み、抜け止め状態となる。また、通常ブレード６の先端も、面取部６１を形成するのが好ましい。
【００２２】
（７．電流容量が増加できることの効果について）
電流容量の増加が可能であると、１００Ｖの家庭用電源の場合、従来の規格品（通常ブレード６のプラグ）では、１５Ａの電流が、ほぼ限界であることから、電化製品１５００Ｗ以内のものであった。
しかしながら、本願発明のコンセント１は、ブレード差し込み長さｄを２０ｍｍ〜６０ｍｍとすることができ、従来品の差し込み長さの１．２倍〜３．５倍とすることができる。したがって、当接面２０に当接面３０が加算され接触面積が大きくなることから、電流容量も１８Ａ〜５２．５Ａとすることができ、１００Ｖ電源であっても１８００Ｗ〜５２５０Ｗの電力を使用可能なコンセント１となる。
図１、図２においては、ブレード差し込み長さｄを３５ｍｍ（通常ブレード６の約２倍の長さ）と仮定し、家庭用１００Ｖで、３０００Ｗまで電力を使用可能なコンセントを例示した。
ブレード差し込み長さｄは、必要な電流容量によって、変更可能なものである。
【００２３】
［実施例２］
図４は実施例２のコンセントとプラグの全体斜視図である。図５は実施例２のコンセントの差込状態の断面図（図４のＢ断面）である。
【００２４】
（１．コンセント・プラグの概要について）
実施例２のコンセント１とプラグ４は、図４に示すように、四本ブレード７をコンセント１内に差し込むものである。差し込み長さｄは、約１７ｍｍ〜約６０ｍｍ（通常ブレード６の差し込み長さ〜実施例１の最大長さ）とするのが好ましい。
ブレード５と同様に、四本ブレード７も、止め孔７０に突起２１・３１が入り込み、抜け止め状態となる。また、四本ブレード７の先端も、面取部７１を形成するのが好ましい。
【００２５】
（２．実施例１との違いについて）
実施例２のコンセント１には、差込口１１が４箇所設けられており、四本ブレード７を差し込み可能としている。
【００２６】
（３．四本ブレードとした時の効果）
ブレードを四本としたことによって、図５に示すように、当接面３０（接触面積）が、実施例１のブレード５の２倍となる。したがって、コード４１の容量が大きければ、差し込み長さｄが、約１７ｍｍ〜約６０ｍｍの時、３０〜１０５Ａの電流を流すことができる。１００Ｖ電圧の場合、３０００〜１０５００Ｗの電力を使用することができる。
【００２７】
（４．実施例２のコンセント１の汎用性について）
また、実施例２のコンセント１は、四本ブレード７のみではなく、通常ブレード６、ブレード５も差し込むことができる。
【００２８】
〔実施例３〕
図６は実施例３のＬ字コンセントとプラグの全体斜視図である。図７は実施例３のコンセントの差込状態の断面図（図６のＣ断面）である。
【００２９】
（１．コンセント・プラグの概要について）
実施例３のコンセント１とプラグ４は、図６に示すように、Ｌ字ブレード８をコンセント１内に差し込むものである。差し込み長さｄは、実施例１と同様に、２０ｍｍ〜６０ｍｍとするのが好ましい。
ブレード５と同様に、Ｌ字ブレード８も、止め孔８０に突起２１・３１が入り込み、抜け止め状態となる。また、Ｌ字ブレード８の先端も、面取部８１を形成するのが好ましい。
【００３０】
（２．実施例１との違いについて）
実施例３のコンセント１は、差込口１１がＬ字に設けられており、Ｌ字ブレード８を差し込み可能としている。
【００３１】
（３．四本ブレードとした時の効果）
ブレードをＬ字としたことによって、図７に示すように、当接面３０（接触面積）が、実施例１のブレード５の約２．２倍となる。したがって、コード４１の容量が大きければ、差し込み長さｄが、約１７ｍｍ〜約６０ｍｍの時、３３〜１１５．５Ａの電流を流すことができる。１００Ｖ電圧の場合、３３００〜１１５５０Ｗの電力を使用することができる。
【００３２】
（４．実施例３のコンセント１の汎用性について）
また、実施例３のコンセント１は、Ｌ字ブレード８のみではなく、四本ブレード７、通常ブレード６、ブレード５も差し込むことができる。
【００３３】
〔実施例４〕
図８は実施例４のＴ字コンセントとプラグの全体斜視図である。
【００３４】
（１．コンセント・プラグの概要について）
実施例４のコンセント１とプラグ４は、図８に示すように、Ｔ字ブレード９をコンセント１内に差し込むものである。差し込み長さｄは、実施例１と同様に、２０ｍｍ〜６０ｍｍとするのが好ましい。
ブレード５と同様に、Ｔ字ブレード９も、止め孔９０に突起２１・３１が入り込み、抜け止め状態となる。また、Ｔ字ブレード９の先端も、面取部９１を形成するのが好ましい。
【００３５】
（２．実施例１との違いについて）
実施例４のコンセント１には、差込口１１がＴ字に設けられており、Ｔ字ブレード９を差し込み可能としている。
【００３６】
（３．Ｔ字ブレードとした時の効果）
ブレードをＴ字としたことによって、図８に示すように、当接面３０（接触面積）が、実施例１のブレード５の約３倍となる。したがって、コード４１の容量が大きければ、差し込み長さｄが、約１７ｍｍ〜約６０ｍｍの時、４５〜１５７．５Ａの電流を流すことができる。１００Ｖ電圧の場合、４５００〜１５７５０Ｗの電力を使用することができる。
【００３７】
（４．実施例４のコンセント１の汎用性について）
また、実施例４のコンセント１は、Ｔ字ブレード９のみではなく、Ｌ字ブレード８、四本ブレード７、通常ブレード６、ブレード５も差し込むことができる。
【００３８】
［実施例１〜４記載のコンセント及びプラグの効果について］
コンセントの電流容量が大きいと、以下のような効果がある。
【００３９】
（ターミナルの設置について）
従来は、家庭用電源の１００Ｖを用いて、２０００Ｗ（ワット）以上の電力を使用する時は、ボルト止めによって通電させていた。
しかしながら、実施例１〜４記載のコンセント・プラグ・ブレードを用いると、「差し込みタイプ」とすることができる。
【００４０】
（配線の省略化について）
従来は、発電機やインバーターから２０００Ｗ（ワット）以上の電力を、延長コードや電気ドラムを用いて配電する場合、電流容量を確保するために複数の従来コンセントが必要なことから、複数本の配線を使用していた。
しかしながら、実施例１〜４記載のコンセント・プラグ・ブレードを用いると、一本の配線で取り回しをすることができる。
【００４１】
（必要に応じて大電流を使用できることについて）
プラグイン・ハイブリッド自動車（家庭用電源のコンセントを用いて充電する電気自動車）の場合、急速充電を必要とすることから、大電流を使用できる充電プラグを用いるのが好ましい。それと共に、感電による大事故防止とインフラなどの関係上、現在使用されている低電圧の１００Ｖコンセント・プラグを利用可能であることが好ましい。
このような場合、実施例１〜４記載のコンセントを用いると、必要に応じて、従来の通常ブレード６を有するプラグを用いることも可能であり、急速充電を行う時（大きな電力が必要な時）には、ブレード５、四本ブレード７、Ｌ字ブレード８、Ｔ字ブレード９を用いることができる。
【図面の簡単な説明】
【００４２】
【図１】実施例１のコンセントとプラグの全体斜視図である。
【図２】実施例１のコンセントとプラグの断面図（図１のＡ断面）である。図２（ａ）は差し込み前であり、図２（ｂ）は差し込み後である。
【図３】実施例２のコンセントと一般のプラグの断面図である。図３（ａ）は差し込み前であり、図３（ｂ）は差し込み後である。
【図４】実施例２のコンセントとプラグの全体斜視図である。
【図５】実施例２のコンセントの差込状態の断面図（図４のＢ断面）である。
【図６】実施例３のＬ字コンセントとプラグの全体斜視図である。
【図７】実施例３のコンセントの差込状態の断面図（図６のＣ断面）である。
【図８】実施例４のＴ字コンセントとプラグの全体斜視図である。
【符号の説明】
【００４３】
１    コンセント
２    通常ブレード挟持部材
３    大容量ブレード挟持部材
４    プラグ
５    ブレード
６    通常ブレード
７    四本ブレード
８    Ｌ字ブレード
９    Ｔ字ブレード
ｄ    差し込み長さ
【図１】
2009176505.tif 000003
【図２】
2009176505.tif 000004
【図３】
2009176505.tif 000005
【図４】
2009176505.tif 000006
【図５】
2009176505.tif 000007
【図６】
2009176505.tif 000008
【図７】
2009176505.tif 000009
【図８】
2009176505.tif 000010